(57)【要約】  本開示のいくつかの態様は、ビーム改良のための技法を提供する。基地局は、どんな送信ビームが、異なる基準信号（ＲＳ）リソースを送信するために使用されるかに関する情報を与える。いくつかの場合には、情報は、同じ送信ビームが、ＲＳリソース（たとえば、シンボル、サブシンボル、または周波数リソース）のセットを送信するために使用されるかどうか、または異なる送信ビームが、ＲＳリソースのセットを送信するために使用されるかどうかを示す。
2020519133.tif 000002
【特許請求の範囲】
【請求項１】
ユーザ機器（ＵＥ）によるワイヤレス通信のための方法であって、
基準信号（ＲＳ）を送信するためのＲＳリソースのセットを伴うビーム改良プロシージャに関する情報を取得することと、前記情報は、どのＲＳリソースが、同じ送信ビームまたは送信ビームの同じセットを使用して基地局によって送信されるべきであるかを示す、
前記情報に基づいて、どの受信ビームまたは受信ビームのセットを、前記基地局によって送信された前記ＲＳリソースの受信のために使用すべきかを決定することと、
前記決定に従って前記ＲＳリソースを受信することと
を備える、方法。
【請求項２】
前記決定に従って受信された前記ＲＳリソースに基づいて、ビームペアリンク（ＢＰＬ）のＵＥ受信ビームを更新することをさらに備える、請求項１に記載の方法。
【請求項３】
前記決定に従って受信された前記ＲＳリソースに基づいて、前記送信ビームのうちの１つまたは複数に関するフィードバックを前記基地局に与えることをさらに備える、請求項１に記載の方法。
【請求項４】
前記情報は、第１の送信ビームが、複数のシンボルの第１のセットの各々においてＲＳリソースを送信するために使用されることを示し、
前記ＵＥが、複数のシンボルの前記第１のセットにおいて送信された前記ＲＳリソースを受信するために、異なる受信ビームを使用することを決定する、
請求項１に記載の方法。
【請求項５】
前記情報はまた、第２の送信ビームが、複数のシンボルの第２のセットの各々においてＲＳリソースを送信するために使用されることを示し、
前記ＵＥがまた、複数のシンボルの前記第２のセットにおいて送信された前記ＲＳリソースを受信するために、異なる受信ビームを使用することを決定する、
請求項４に記載の方法。
【請求項６】
前記ＵＥが、シンボルの前記第１のセットとシンボルの前記第２のセットの両方において送信された前記ＲＳリソースを受信するために、受信ビームの同じセットを使用することを決定する、請求項５に記載の方法。
【請求項７】
前記情報は、複数の送信ビームの同じセットが、複数のシンボルの第１のセットの各々において異なる周波数ＲＳリソースを送信するために使用されることを示し、
前記ＵＥが、複数のシンボルの前記第１のセットにおいて送信された前記ＲＳリソースを受信するために、異なる受信ビームを使用することを決定する、
請求項１に記載の方法。
【請求項８】
ＲＳ構成に基づいて、どの周波数ＲＳリソースが、前記複数の送信ビームの各々を用いて送信されるかを決定すること
をさらに備える、請求項７に記載の方法。
【請求項９】
前記情報は、第１の送信ビームが、シンボル内のサブシンボルの第１のセットの各々においてＲＳリソースを送信するために使用されることを示し、
前記ＵＥが、サブシンボルの前記第１のセットにおいて送信された前記ＲＳリソースを受信するために、異なる受信ビームを使用することを決定する、
請求項１に記載の方法。
【請求項１０】
ＲＳ構成に基づいて、前記サブシンボルの各々において繰り返されるＲＳの周期性を決定すること
をさらに備える、請求項９に記載の方法。
【請求項１１】
前記情報が、ダウンリンク制御情報（ＤＣＩ）送信を介して取得される、請求項１に記載の方法。
【請求項１２】
前記情報が、チャネル状態情報基準信号（ＣＳＩ−ＲＳ）セットアップ情報を用いて取得される、請求項１に記載の方法。
【請求項１３】
前記情報が、前記ＲＳリソースを送信するための送信ビームパターンの異なる組合せをもつテーブルへのインデックスとして与えられる、請求項１に記載の方法。
【請求項１４】
基地局によるワイヤレス通信のための方法であって、
どの送信ビームを、ビーム改良プロシージャの一部としてユーザ機器（ＵＥ）に基準信号（ＲＳ）リソースを送信するために使用すべきかを決定することと、
どのＲＳリソースが、同じ送信ビームまたは送信ビームの同じセットを使用して前記基地局によって送信されるべきであるかを示す情報を前記ＵＥに与えることと、
前記決定に従って前記ＲＳリソースを送信することと
を備える、方法。
【請求項１５】
前記ＵＥによって受信されたＲＳリソースに基づいて、前記送信ビームのうちの１つまたは複数に関するフィードバックを前記ＵＥから受信することをさらに備える、請求項１４に記載の方法。
【請求項１６】
前記情報は、第１の送信ビームが、複数のシンボルの第１のセットの各々においてＲＳリソースを送信するために使用されることを示す、
請求項１４に記載の方法。
【請求項１７】
前記情報はまた、第２の送信ビームが、複数のシンボルの第２のセットの各々においてＲＳリソースを送信するために使用されることを示す、
請求項１６に記載の方法。
【請求項１８】
前記情報は、複数の送信ビームの同じセットが、複数のシンボルの第１のセットの各々において異なる周波数ＲＳリソースを送信するために使用されることを示す、
請求項１４に記載の方法。
【請求項１９】
前記情報は、第１の送信ビームが、シンボル内のサブシンボルの第１のセットの各々においてＲＳリソースを送信するために使用されることを示す、
請求項１４に記載の方法。
【請求項２０】
前記情報が、ダウンリンク制御情報（ＤＣＩ）送信を介して与えられる、請求項１４に記載の方法。
【請求項２１】
前記情報が、チャネル状態情報基準信号（ＣＳＩ−ＲＳ）セットアップ情報を用いて与えられる、請求項１４に記載の方法。
【請求項２２】
前記情報が、前記ＲＳリソースを送信するための送信ビームパターンの異なる組合せをもつテーブルへのインデックスとして与えられる、請求項１４に記載の方法。
【請求項２３】
ユーザ機器（ＵＥ）によるワイヤレス通信のための装置であって、
基準信号（ＲＳ）を送信するためのＲＳリソースのセットを伴うビーム改良プロシージャに関する情報を取得するための手段と、前記情報は、どのＲＳリソースが、同じ送信ビームまたは送信ビームの同じセットを使用して基地局によって送信されるべきであるかを示す、
前記情報に基づいて、どの受信ビームまたは受信ビームのセットを、前記基地局によって送信された前記ＲＳリソースの受信のために使用すべきかを決定するための手段と、
前記決定に従って前記ＲＳリソースを受信するための手段と
を備える、装置。
【請求項２４】
基地局によるワイヤレス通信のための装置であって、
どの送信ビームを、ビーム改良プロシージャの一部としてユーザ機器（ＵＥ）に基準信号（ＲＳ）リソースを送信するために使用すべきかを決定するための手段と、
どのＲＳリソースが、同じ送信ビームまたは送信ビームの同じセットを使用して前記基地局によって送信されるべきであるかを示す情報を前記ＵＥに与えるための手段と、
前記決定に従って前記ＲＳリソースを送信するための手段と
を備える、装置。
【請求項２５】
ユーザ機器（ＵＥ）によるワイヤレス通信のための装置であって、
基準信号（ＲＳ）を送信するためのＲＳリソースのセットを伴うビーム改良プロシージャに関する情報を取得することと、前記情報は、どのＲＳリソースが、同じ送信ビームまたは送信ビームの同じセットを使用して基地局によって送信されるべきであるかを示す、
前記情報に基づいて、どの受信ビームまたは受信ビームのセットを、前記基地局によって送信された前記ＲＳリソースの受信のために使用すべきかを決定することと、
前記決定に従って前記ＲＳリソースを受信することと
を行うように構成された少なくとも１つのプロセッサと、
前記少なくとも１つのプロセッサと結合されたメモリと
を備える、装置。
【請求項２６】
基地局によるワイヤレス通信のための装置であって、
どの送信ビームを、ビーム改良プロシージャの一部としてユーザ機器（ＵＥ）に基準信号（ＲＳ）リソースを送信するために使用すべきかを決定することと、
どのＲＳリソースが、同じ送信ビームまたは送信ビームの同じセットを使用して前記基地局によって送信されるべきであるかを示す情報を前記ＵＥに与えることと、
前記決定に従って前記ＲＳリソースを送信することと
を行うように構成された少なくとも１つのプロセッサと、
前記少なくとも１つのプロセッサと結合されたメモリと
を備える、装置。
【発明の詳細な説明】
【技術分野】
【０００１】
関連出願の相互参照
[0001]本特許出願は、本明細書においてその全体がともに参照により本明細書に明確に組み込まれる、２０１７年５月５日に出願された米国仮特許出願第６２／５０２，５６１号、および２０１８年５月３日に出願された米国特許出願第１５／９６９，９２８号の利益を主張する。
【０００２】
[0002]本開示の態様は、ワイヤレス通信に関し、より詳細には、たとえば、基地局からユーザ機器（ＵＥ）へのおよび／またはＵＥから基地局への、指向性送信のために使用される送信ビームの改良（refinement）に関する。
【背景技術】
【０００３】
[0003]ワイヤレス通信システムは、電話、ビデオ、データ、メッセージング、およびブロードキャストなど、様々な電気通信サービスを提供するために広く展開されている。典型的なワイヤレス通信システムは、利用可能なシステムリソース（たとえば、帯域幅、送信電力）を共有することによって複数のユーザとの通信をサポートすることが可能な多元接続技術を採用し得る。そのような多元接続技術の例は、ロングタームエボリューション（ＬＴＥ（登録商標））システム、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムを含む。
【０００４】
[0004]いくつかの例では、ワイヤレス多元接続通信システムは、場合によってはユーザ機器（ＵＥ）として知られる、複数の通信デバイスのための通信を各々が同時にサポートする、いくつかの基地局を含み得る。ＬＴＥまたはＬＴＥ−Ａネットワークでは、１つまたは複数の基地局のセットがｅノードＢ（ｅＮＢ）を定義し得る。他の例では（たとえば、次世代または５Ｇネットワークでは）、ワイヤレス多元接続通信システムは、いくつかの中央ユニット（ＣＵ）（たとえば、中央ノード（ＣＮ）、アクセスノードコントローラ（ＡＮＣ）など）と通信しているいくつかの分散型ユニット（ＤＵ）（たとえば、エッジユニット（ＥＵ）、エッジノード（ＥＮ）、無線ヘッド（ＲＨ）、スマート無線ヘッド（ＳＲＨ）、送信受信ポイント（ＴＲＰ）など）を含み得、ここで、中央ユニットと通信している１つまたは複数の分散型ユニットのセットは、アクセスノード（たとえば、新無線基地局（ＮＲ  ＢＳ）、新無線ノードＢ（ＮＲ  ＮＢ）、ネットワークノード、５Ｇ  ＮＢ、ｇＮＢなど）を定義し得る。基地局またはＤＵは、（たとえば、基地局からまたはＵＥへの送信のために）ダウンリンクチャネル上で、および（たとえば、ＵＥから基地局または分散型ユニットへの送信のために）アップリンクチャネル上でＵＥのセットと通信し得る。
【０００５】
[0005]これらの多元接続技術は、異なるワイヤレスデバイスが都市、国家、地域、さらには地球規模で通信することを可能にする共通プロトコルを与えるために様々な電気通信規格において採用されている。新生の電気通信規格の例は、新無線（ＮＲ）、たとえば、５Ｇ無線アクセスである。ＮＲは、第３世代パートナーシッププロジェクト（３ＧＰＰ（登録商標））によって公表されたＬＴＥモバイル規格の向上のセットである。ＮＲは、スペクトル効率を改善することと、コストを下げることと、サービスを改善することと、新しいスペクトルを利用することと、ダウンリンク（ＤＬ）上でおよびアップリンク（ＵＬ）上でサイクリックプレフィックス（ＣＰ）を用いたＯＦＤＭＡを使用して他のオープン規格とより良く統合することとによってモバイルブロードバンドインターネットアクセスをより良くサポートし、ならびにビームフォーミング、多入力多出力（ＭＩＭＯ）アンテナ技術、およびキャリアアグリゲーションをサポートするように設計されている。
【０００６】
[0006]しかしながら、モバイルブロードバンドアクセスに対する需要が増加し続けるにつれて、ＮＲ技術のさらなる改善が必要である。好ましくは、これらの改善は、他の多元接続技術と、これらの技術を採用する電気通信規格とに適用可能であるべきである。
【発明の概要】
【０００７】
[0007]本開示のシステム、方法、およびデバイスは、各々いくつかの態様を有し、それらの態様のうちの単一の態様が単独で本開示の望ましい属性を担うとは限らない。次に、以下の特許請求の範囲によって表される本開示の範囲を限定することなしに、いくつかの特徴が手短に説明される。この説明を考察すれば、特に「発明を実施するための形態」と題するセクションを読めば、本開示の特徴が、ワイヤレスネットワークにおけるアクセスポイントと局との間の改善された通信を含む利点をどのように提供するかが理解されよう。
【０００８】
[0008]本開示の態様は、ユーザ機器（ＵＥ）によるワイヤレス通信のための方法を提供する。本方法は、概して、基準信号（ＲＳ）を送信するためのリソースのセットを伴うビーム改良プロシージャに関する情報を取得することと、情報は、どのＲＳリソースが、同じ送信ビームを使用して基地局によって送信されるべきであるかを示す、情報に基づいて、どの１つまたは複数の受信ビームを、基地局によって送信されたＲＳリソースの受信のために使用すべきかを決定することと、決定に従ってＲＳリソースを受信することとを含む。
【０００９】
[0009]本開示の態様は、基地局によるワイヤレス通信のための方法を提供する。本方法は、概して、どの送信ビームを、ビーム改良プロシージャの一部としてユーザ機器（ＵＥ）に基準信号（ＲＳ）リソースを送信するために使用すべきかを決定することと、どのＲＳリソースが、同じ送信ビームを使用して基地局によって送信されるべきであるかを示す情報をＵＥに与えることと、決定に従ってＲＳリソースを送信することとを含む。
【００１０】
[0010]態様は、概して、添付の図面を参照しながら本明細書で実質的に説明され、添付の図面によって示されるように、方法、装置、システム、コンピュータ可読媒体、および処理システムを含む。
【００１１】
[0011]上記および関係する目的を達成するために、１つまたは複数の態様は、以下で十分に説明され、特に特許請求の範囲で指摘される特徴を備える。以下の説明および添付の図面は、１つまたは複数の態様のいくつかの例示的な特徴を詳細に示している。ただし、これらの特徴は、様々な態様の原理が採用され得る様々な方法のほんのいくつかを示すものであり、この説明は、すべてのそのような態様およびそれらの均等物を含むものとする。
【００１２】
[0012]本開示の上記で具陳された特徴が詳細に理解され得るように、添付の図面にその一部が示される態様を参照することによって、上記で手短に要約されたより具体的な説明が得られ得る。ただし、その説明は他の等しく有効な態様に通じ得るので、添付の図面は、本開示のいくつかの典型的な態様のみを示し、したがって、本開示の範囲を限定するものと見なされるべきではないことに留意されたい。
【図面の簡単な説明】
【００１３】
【図１】[0013]本開示のいくつかの態様による、例示的な電気通信システムを概念的に示すブロック図。
【図２】[0014]本開示のいくつかの態様による、分散型ＲＡＮの例示的な論理アーキテクチャを示すブロック図。
【図３】[0015]本開示のいくつかの態様による、分散型ＲＡＮの例示的な物理アーキテクチャを示す図。
【図４】[0016]本開示のいくつかの態様による、例示的なＢＳおよびユーザ機器（ＵＥ）の設計を概念的に示すブロック図。
【図５】[0017]本開示のいくつかの態様による、通信プロトコルスタックを実装するための例を示す図。
【図６】[0018]本開示のいくつかの態様による、ＤＬセントリックサブフレームの一例を示す図。
【図７】[0019]本開示のいくつかの態様による、ＵＬセントリックサブフレームの一例を示す図。
【図８】[0020]本開示の態様が利用され得る、例示的なビーム改良プロシージャを示す図。
【図９Ａ】[0021]図８に示されている送信ビーム改良（Ｐ２）プロシージャの例示的なタイムラインを示す図。
【図９Ｂ】[0022]図８に示されている受信ビーム改良（Ｐ３）プロシージャの例示的なタイムラインを示す図。
【図１０】本開示のいくつかの態様による、ユーザ機器（ＵＥ）によって実施され得る例示的な動作を示す図。
【図１１】[0023]本開示のいくつかの態様による、基地局によって実施され得る例示的な動作を示す図。
【図１２】[0024]本開示のいくつかの態様による、第１のビーム改良プロシージャの例示的なタイムラインを示す図。
【図１３】[0025]本開示のいくつかの態様による、周波数的に多重化された送信ビームを用いた第２のビーム改良プロシージャの例示的なタイムラインを示す図。
【図１４】[0026]本開示のいくつかの態様による、シンボル内で時間的に多重化された送信ビームを用いた第３のビーム改良プロシージャの例示的なタイムラインを示す図。
【発明を実施するための形態】
【００１４】
[0027]理解を容易にするために、可能な場合、各図に共通である同じ要素を指定するために同じ参照番号が使用されている。一態様において開示される要素が、特定の具陳なしに他の態様に対して有益に利用され得ることが企図される。
【００１５】
[0028]本開示の態様は、新無線（ＮＲ）（新無線アクセス技術または５Ｇ技術）のための装置、方法、処理システム、およびコンピュータ可読媒体を提供する。
【００１６】
[0029]ＮＲは、（たとえば、８０ＭＨｚを超える）広帯域幅をターゲットにする拡張型モバイルブロードバンド（ｅＭＢＢ）、高いキャリア周波数（たとえば、６０ＧＨｚ）をターゲットするミリメートル波（ｍｍＷ）、非後方互換性ＭＴＣ技法をターゲットにするマッシブＭＴＣ（ｍＭＴＣ）、および／または超信頼型低レイテンシ通信（ＵＲＬＬＣ：ultra reliable low latency communications）をターゲットにするミッションクリティカルななど、様々なワイヤレス通信サービスをサポートし得る。これらのサービスは、レイテンシおよび信頼性要件を含み得る。これらのサービスは、それぞれのサービス品質（ＱｏＳ）要件を満たすために、異なる送信時間間隔（ＴＴＩ）をも有し得る。さらに、これらのサービスは、同じサブフレームにおいて共存し得る。
【００１７】
[0030]以下の説明は、例を与えるものであり、特許請求の範囲に記載される範囲、適用性、または例を限定するものではない。本開示の範囲から逸脱することなく、説明された要素の機能および構成において変更が行われ得る。様々な例は、適宜に様々なプロシージャまたは構成要素を省略、置換、または追加し得る。たとえば、説明される方法は、説明される順序とは異なる順序で実施され得、様々なステップが追加、省略、または組み合わされ得る。また、いくつかの例に関して説明される特徴は、いくつかの他の例において組み合わされ得る。たとえば、本明細書に記載される態様を任意にいくつ使用しても、装置は実装され得、または方法は実施され得る。さらに、本開示の範囲は、本明細書に記載される本開示の様々な態様に加えてまたはそれらの態様以外に、他の構造、機能性、または構造および機能性を使用して実施されるそのような装置または方法をカバーするものとする。本明細書で開示される本開示のいずれの態様も、請求項の１つまたは複数の要素によって実施され得ることを理解されたい。「例示的」という単語は、「例、事例、または例示の働きをすること」を意味するために本明細書で使用される。「例示的」として本明細書で説明されるいかなる態様も、必ずしも他の態様よりも好適または有利なものと解釈されるべきではない。
【００１８】
[0031]本明細書で説明される技法は、ＬＴＥ、ＣＤＭＡ、ＴＤＭＡ、ＦＤＭＡ、ＯＦＤＭＡ、ＳＣ−ＦＤＭＡおよび他のネットワークなど、様々なワイヤレス通信ネットワークのために使用され得る。「ネットワーク」および「システム」という用語はしばしば互換的に使用される。ＣＤＭＡネットワークは、ユニバーサル地上波無線アクセス（ＵＴＲＡ）、ｃｄｍａ２０００などの無線技術を実装し得る。ＵＴＲＡは、広帯域ＣＤＭＡ（ＷＣＤＭＡ（登録商標））およびＣＤＭＡの他の変形態を含む。ｃｄｍａ２０００は、ＩＳ−２０００、ＩＳ−９５、およびＩＳ−８５６規格をカバーする。ＴＤＭＡネットワークは、モバイル通信用グローバルシステム（ＧＳＭ（登録商標））などの無線技術を実装し得る。ＯＦＤＭＡネットワークは、ＮＲ（たとえば、５Ｇ  ＲＡ）、発展型ＵＴＲＡ（Ｅ−ＵＴＲＡ）、ウルトラモバイルブロードバンド（ＵＭＢ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭＡなどの無線技術を実装し得る。ＵＴＲＡおよびＥ−ＵＴＲＡは、ユニバーサルモバイルテレコミュニケーションシステム（ＵＭＴＳ）の一部である。ＮＲは、５Ｇ技術フォーラム（５ＧＴＦ）とともに開発中の新生のワイヤレス通信技術である。３ＧＰＰロングタームエボリューション（ＬＴＥ）およびＬＴＥアドバンスト（ＬＴＥ−Ａ）は、Ｅ−ＵＴＲＡを使用するＵＭＴＳのリリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ）と称する団体からの文書に記載されている。ｃｄｍａ２０００およびＵＭＢは、「第３世代パートナーシッププロジェクト２」（３ＧＰＰ２）と称する団体からの文書に記載されている。本明細書で説明される技法は、上記のワイヤレスネットワークおよび無線技術、ならびに他のワイヤレスネットワークおよび無線技術に使用され得る。明快のために、本明細書では、３Ｇおよび／または４Ｇのワイヤレス技術に一般に関連する用語を使用して態様が説明され得るが、本開示の態様は、ＮＲ技術を含む、５Ｇ以降など、他の世代ベースの通信システムにおいて適用され得る。
例示的なワイヤレス通信システム
[0032]図１は、本開示の態様が実施され得る例示的なワイヤレスネットワーク１００を示す。たとえば、ワイヤレスネットワークは、新無線（ＮＲ）または５Ｇネットワークであり得る。ＮＲワイヤレス通信システムはビームを採用し得、ここで、ＢＳおよびＵＥはアクティブビームを介して通信する。
【００１９】
[0033]説明の目的で、態様は、１次ＢＳおよび２次ＢＳに関して説明され、ここにおいて、２次ＢＳは、ｍｍＷａｖｅ周波数スペクトルにおいて動作し、より低い周波数スペクトルその２次スペクトルにおける１次ＢＳ動作、しかしながら、態様は、この例示的なシナリオに限定されないことがある。
【００２０】
[0034]本明細書で説明されるように、たとえば、図８に関して、ビームを介して通信するＢＳへのＵＥの初期アクセスは、より低い周波数スペクトルにおいて動作するＢＳからの支援を受けて簡略化され得る。より低い周波数スペクトルにおいて動作するＢＳの支援を受けて、ｍｍＷａｖｅリソースは温存され得、いくつかのシナリオでは、ｍｍＷａｖｅネットワークへの初期同期は、完全にまたは部分的にバイパスされ得る。
【００２１】
[0035]ＵＥ１２０は、送信電力を決定するための本明細書で説明される動作９００および方法を実施するように構成され得る。ＢＳ１１０は、送信受信ポイント（ＴＲＰ）、ノードＢ（ＮＢ）、５Ｇ  ＮＢ、アクセスポイント（ＡＰ）、新無線（ＮＲ）ＢＳ、マスタＢＳ、１次ＢＳなど）を備え得る。ＮＲネットワーク１００は中央ユニットを含み得る。ＢＳ１１０は、別のＢＳ（たとえば、２次ＢＳ）とのＲＡＣＨプロシージャ中に使用するための送信電力を決定する際にＵＥに支援を与えるための、本明細書で説明される動作１０００および他の方法を実施し得る。
【００２２】
[0036]ＵＥ１２０は、ＵＥと１次ＢＳとの間の通信に少なくとも部分的に基づいて、２次ＢＳとのＲＡＣＨプロシージャ中にメッセージを送信するための送信電力を決定し得る。ＵＥは、決定された送信電力に少なくとも部分的に基づいて、ＲＡＣＨプロシージャ中に２次ＢＳにメッセージを送信し得る。
【００２３】
[0037]マスタＢＳまたは１次ＢＳなど、ＢＳ１１０は、ＵＥと通信し得、２次ＢＳとのＲＡＣＨプロシージャ中にメッセージを送信するための送信電力を設定する際にＵＥを支援するために、１つまたは複数のアクションを取り得る。
【００２４】
[0038]図１に示されているように、ワイヤレスネットワーク１００は、いくつかのＢＳ１１０と他のネットワークエンティティとを含み得る。一例によれば、ＢＳおよびＵＥを含むネットワークエンティティは、ビームを使用して高い周波数（たとえば、＞６ＧＨｚ）上で通信し得る。１つまたは複数のＢＳは、より低い周波数（たとえば、＜６ＧＨｚ）においても通信し得る。高い周波数スペクトルにおいて動作するように構成された１つまたは複数のＢＳと、より低い周波数スペクトルにおいて動作するように構成された１つまたは複数のＢＳとがコロケートされ得る。
【００２５】
[0039]ＢＳはＵＥと通信する局であり得る。各ＢＳ１１０は、特定の地理的エリアに通信カバレージを提供し得る。３ＧＰＰでは、「セル」という用語は、この用語が使用されるコンテキストに応じて、ノードＢ１１０のカバレージエリアおよび／またはこのカバレージエリアをサービスするノードＢサブシステムを指すことがある。ＮＲシステムでは、「セル」およびｇＮＢ、ノードＢ、５Ｇ  ＮＢ、ＡＰ、ＮＲ  ＢＳ、ＮＲ  ＢＳ、またはＴＲＰという用語は互換性があり得る。いくつかの例では、セルは、必ずしも固定であるとは限らないことがあり、セルの地理的エリアは、モバイル基地局のロケーションに従って移動し得る。いくつかの例では、基地局は、任意の適切なトランスポートネットワークを使用して、直接物理接続、仮想ネットワークなど、様々なタイプのバックホールインターフェースを通して互いに、および／またはワイヤレスネットワーク１００における１つまたは複数の他の基地局またはネットワークノード（図示せず）に相互接続され得る。
【００２６】
[0040]概して、任意の数のワイヤレスネットワークが所与の地理的エリア中に展開され得る。各ワイヤレスネットワークは、特定の無線アクセス技術（ＲＡＴ）をサポートし得、１つまたは複数の周波数上で動作し得る。ＲＡＴは、無線技術、エアインターフェースなどと呼ばれることもある。周波数は、キャリア、周波数チャネルなどと呼ばれることもある。各周波数は、異なるＲＡＴのワイヤレスネットワーク間での干渉を回避するために、所与の地理的エリア中の単一のＲＡＴをサポートし得る。いくつかの場合には、ＮＲまたは５Ｇ  ＲＡＴネットワークが展開され得る。
【００２７】
[0041]ＢＳは、マクロセル、ピコセル、フェムトセル、および／または他のタイプのセルに通信カバレージを提供し得る。マクロセルは、比較的大きい地理的エリア（たとえば、半径数キロメートル）をカバーし得、サービスに加入しているＵＥによる無制限アクセスを可能にし得る。ピコセルは、比較的小さい地理的エリアをカバーし得、サービスに加入しているＵＥによる無制限アクセスを可能にし得る。フェムトセルは、比較的小さい地理的エリア（たとえば、自宅）をカバーし得、フェムトセルとの関連付けを有するＵＥ（たとえば、限定加入者グループ（ＣＳＧ）中のＵＥ、自宅内のユーザのためのＵＥなど）による制限付きアクセスを可能にし得る。マクロセルのためのＢＳはマクロＢＳと呼ばれることがある。ピコセルのためのＢＳはピコＢＳと呼ばれることがある。フェムトセルのためのＢＳは、フェムトＢＳまたはホームＢＳと呼ばれることがある。図１に示されている例では、ＢＳ１１０ａ、１１０ｂおよび１１０ｃは、それぞれマクロセル１０２ａ、１０２ｂおよび１０２ｃのためのマクロＢＳであり得る。ＢＳ１１０ｘは、ピコセル１０２ｘのためのピコＢＳであり得る。ＢＳ１１０ｙおよび１１０ｚは、それぞれフェムトセル１０２ｙおよび１０２ｚのためのフェムトＢＳであり得る。ＢＳは、１つまたは複数の（たとえば、３つの）セルをサポートし得る。
【００２８】
[0042]ワイヤレスネットワーク１００はまた、中継局を含み得る。中継局は、上流局（たとえば、ＢＳまたはＵＥ）からデータおよび／または他の情報の送信を受信し、そのデータおよび／または他の情報の送信を下流局（たとえば、ＵＥまたはＢＳ）に送る局である。中継局はまた、他のＵＥに対する送信を中継するＵＥであり得る。図１に示されている例では、中継局１１０ｒは、ＢＳ１１０ａとＵＥ１２０ｒとの間の通信を可能にするために、ＢＳ１１０ａおよびＵＥ１２０ｒと通信し得る。中継局は、リレーＢＳ、リレーなどと呼ばれることもある。
【００２９】
[0043]ワイヤレスネットワーク１００は、異なるタイプのＢＳ、たとえば、マクロＢＳ、ピコＢＳ、フェムトＢＳ、リレーなどを含む異種ネットワークであり得る。これらの様々なタイプのＢＳは、様々な送信電力レベル、様々なカバレージエリア、およびワイヤレスネットワーク１００における干渉に対する様々な影響を有し得る。たとえば、マクロＢＳは、高い送信電力レベル（たとえば、２０ワット）を有し得るが、ピコＢＳ、フェムトＢＳ、およびリレーは、より低い送信電力レベル（たとえば、１ワット）を有し得る。
【００３０】
[0044]ワイヤレスネットワーク１００は、同期動作または非同期動作をサポートし得る。同期動作の場合、ＢＳは同様のフレームタイミングを有し得、異なるＢＳからの送信は近似的に時間的に整合され得る。非同期動作の場合、ＢＳは異なるフレームタイミングを有し得、異なるＢＳからの送信は時間的に整合されないことがある。本明細書で説明される技法は、同期動作と非同期動作の両方のために使用され得る。
【００３１】
[0045]ネットワークコントローラ１３０は、ＢＳのセットに結合し、これらのＢＳの協調および制御を行い得る。ネットワークコントローラ１３０は、バックホールを介してＢＳ１１０と通信し得る。ＢＳ１１０はまた、たとえば、ワイヤレスバックホールまたはワイヤラインバックホールを介して直接または間接的に互いに通信し得る。
【００３２】
[0046]ＵＥ１２０（たとえば、１２０ｘ、１２０ｙなど）はワイヤレスネットワーク１００全体にわたって分散され得、各ＵＥは固定または移動であり得る。ＵＥは、移動局、端末、アクセス端末、加入者ユニット、局、顧客構内機器（ＣＰＥ）、セルラーフォン、スマートフォン、携帯情報端末（ＰＤＡ）、ワイヤレスモデム、ワイヤレス通信デバイス、ハンドヘルドデバイス、ラップトップコンピュータ、コードレスフォン、ワイヤレスローカルループ（ＷＬＬ）局、タブレット、カメラ、ゲームデバイス、ネットブック、スマートブック、ウルトラブック、医療デバイスもしくは医療機器、生体センサー／デバイス、スマートウォッチ、スマートクロージング、スマートグラス、スマートリストバンドなどのウェアラブルデバイス、スマートジュエリー（たとえば、スマートリング、スマートブレスレットなど）、エンターテインメントデバイス（たとえば、音楽デバイス、ビデオデバイス、衛星ラジオなど）、車両コンポーネントもしくはセンサー、スマートメーター／センサー、産業用製造装置、全地球測位システムデバイス、またはワイヤレスもしくはワイヤード媒体を介して通信するように構成された任意の他の好適なデバイスと呼ばれることもある。いくつかのＵＥは、発展型もしくはマシンタイプ通信（ＭＴＣ）デバイスまたは発展型ＭＴＣ（ｅＭＴＣ）デバイスと見なされ得る。ＭＴＣ  ＵＥおよびｅＭＴＣ  ＵＥは、たとえば、ＢＳ、別のデバイス（たとえば、リモートデバイス）、または何らかの他のエンティティと通信し得る、ロボット、ドローン、リモートデバイス、センサー、メーター、モニタ、ロケーションタグなどを含む。ワイヤレスノードは、たとえば、ワイヤードまたはワイヤレス通信リンクを介した、ネットワーク（たとえば、インターネットまたはセルラーネットワークなど、ワイドエリアネットワーク）のための、またはネットワークへの接続性を与え得る。いくつかのＵＥは、モノのインターネット（ＩｏＴ）デバイスと見なされ得る。
【００３３】
[0047]図１では、両矢印付きの実線は、ダウンリンクおよび／またはアップリンク上での、ＵＥと、そのＵＥをサービスするように指定されたＢＳであるサービングＢＳとの間の所望の送信を示す。両矢印付きの破線は、ＵＥとＢＳとの間の干渉送信を示す。
【００３４】
[0048]いくつかのワイヤレスネットワーク（たとえば、ＬＴＥ）は、ダウンリンク上で直交周波数分割多重（ＯＦＤＭ）を利用し、アップリンク上でシングルキャリア周波数分割多重（ＳＣ−ＦＤＭ）を利用する。ＯＦＤＭおよびＳＣ−ＦＤＭは、システム帯域幅を、一般にトーン、ビンなどとも呼ばれる複数（Ｋ）個の直交サブキャリアに区分する。各サブキャリアはデータで変調され得る。概して、変調シンボルは、ＯＦＤＭでは周波数領域で、ＳＣ−ＦＤＭでは時間領域で送られる。隣接するサブキャリア間の間隔は固定であり得、サブキャリアの総数（Ｋ）はシステム帯域幅に依存し得る。たとえば、サブキャリアの間隔は１５ｋＨｚであり得、（「リソースブロック」と呼ばれる）最小リソース割振りは１２個のサブキャリア（または１８０ｋＨｚ）であり得る。したがって、公称ＦＦＴサイズは、１．２５、２．５、５、１０または２０メガヘルツ（ＭＨｚ）のシステム帯域幅に対してそれぞれ１２８、２５６、５１２、１０２４または２０４８に等しくなり得る。システム帯域幅はまた、サブバンドに区分され得る。たとえば、サブバンドは１．０８ＭＨｚ（すなわち、６つのリソースブロック）をカバーし得、１．２５、２．５、５、１０または２０ＭＨｚのシステム帯域幅に対してそれぞれ１、２、４、８または１６個のサブバンドがあり得る。
【００３５】
[0049]本明細書で説明される例の態様は、ＬＴＥ技術に関連し得るが、本開示の態様は、ＮＲなど、他のワイヤレス通信システムを用いて適用可能であり得る。
【００３６】
[0050]ＮＲは、アップリンクおよびダウンリンク上でＣＰを用いたＯＦＤＭを利用し、ＴＤＤを使用する半二重動作のためのサポートを含み得る。１００ＭＨｚの単一のコンポーネントキャリア帯域幅がサポートされ得る。ＮＲリソースブロックは、０．１ｍｓ持続時間にわたる７５ｋＨｚのサブキャリア帯域幅をもつ１２個のサブキャリアをスパンし得る。各無線フレームは、１０ｍｓの長さをもつ５０個のサブフレームからなり得る。したがって、各サブフレームは、０．２ｍｓの長さを有し得る。各サブフレームは、データ送信のためのリンク方向（すなわち、ＤＬまたはＵＬ）を示し得、各サブフレームについてのリンク方向は、動的に切り替えられ得る。各サブフレームは、ＤＬ／ＵＬデータならびにＤＬ／ＵＬ制御データを含み得る。ＮＲのためのＵＬおよびＤＬサブフレームは、図６および図７に関して以下でより詳細に説明される通りであり得る。ビームフォーミングがサポートされ得、ビーム方向は動的に構成され得る。プリコーディングを用いたＭＩＭＯ送信もサポートされ得る。ＤＬにおけるＭＩＭＯ構成は、最高８つのストリームおよびＵＥごとに最高２つのストリームのマルチレイヤＤＬ送信を用いて、最高８つの送信アンテナをサポートし得る。ＵＥごとに最高２つのストリームを用いるマルチレイヤ送信がサポートされ得る。複数のセルのアグリゲーションが、最高８つのサービングセルを用いてサポートされ得る。代替的に、ＮＲは、ＯＦＤＭベース以外の、異なるエアインターフェースをサポートし得る。ＮＲネットワークは、エンティティそのようなＣＵおよび／またはＤＵを含み得る。
【００３７】
[0051]いくつかの例では、エアインターフェースへのアクセスがスケジュールされ得、ここにおいて、スケジューリングエンティティ（たとえば、基地局）は、それのサービスエリアまたはセル内の一部または全部のデバイスおよび機器の間の通信にリソースを割り振る。本開示内では、以下でさらに説明されるように、スケジューリングエンティティは、１つまたは複数の下位エンティティのためのリソースをスケジュールし、割り当て、再構成し、解放することを担当し得る。すなわち、スケジュールされた通信について、下位エンティティは、スケジューリングエンティティによって割り振られたリソースを利用する。基地局は、スケジューリングエンティティとして機能し得る唯一のエンティティではない。すなわち、いくつかの例では、ＵＥは、１つまたは複数の下位エンティティ（たとえば、１つまたは複数の他のＵＥ）のためのスケジューリングエンティティ、スケジューリングリソースとして機能し得る。この例では、ＵＥは、スケジューリングエンティティとして機能しており、他のＵＥは、ワイヤレス通信のためにＵＥによってスケジュールされたリソースを利用する。ＵＥは、ピアツーピア（Ｐ２Ｐ）ネットワークにおいて、および／またはメッシュネットワークにおいてスケジューリングエンティティとして機能し得る。メッシュネットワーク例では、ＵＥは、スケジューリングエンティティと通信することに加えて、随意に、互いと直接通信し得る。
【００３８】
[0052]したがって、時間周波数リソースへのスケジュールされたアクセスを用いた、セルラー構成、Ｐ２Ｐ構成、およびメッシュ構成を有するワイヤレス通信ネットワークでは、スケジューリングエンティティおよび１つまたは複数の下位エンティティは、スケジュールされたリソースを利用して通信し得る。
【００３９】
[0053]上述のように、ＲＡＮはＣＵおよびＤＵを含み得る。ＮＲ  ＢＳ（たとえば、ｇＮＢ、５ＧノードＢ、ノードＢ、送信受信ポイント（ＴＲＰ）、アクセスポイント（ＡＰ））は、１つまたは複数のＢＳに対応し得る。ＮＲセルは、アクセスセル（ＡＣｅｌｌ）またはデータオンリーセル（ＤＣｅｌｌ）として構成され得る。たとえば、ＲＡＮ（たとえば、中央ユニットまたは分散型ユニット）がセルを構成し得る。ＤＣｅｌｌは、キャリアアグリゲーションまたはデュアル接続性のために使用されるが、初期アクセス、セル選択／再選択、またはハンドオーバのために使用されないセルであり得る。いくつかの場合には、ＤＣｅｌｌは同期信号を送信しないことがあり、いくつかの場合場合には、ＤＣｅｌｌはＳＳを送信することがある。ＮＲ  ＢＳは、セルタイプを示すダウンリンク信号をＵＥに送信し得る。セルタイプ指示に基づいて、ＵＥは、ＮＲ  ＢＳと通信し得る。たとえば、ＵＥは、示されたセルタイプに基づくセル選択、アクセス、ハンドオーバ、および／または測定のために考慮すべきＮＲ  ＢＳを決定し得る。
【００４０】
[0054]図２は、図１に示されているワイヤレス通信システムにおいて実装され得る、分散型無線アクセスネットワーク（ＲＡＮ）２００の例示的な論理アーキテクチャを示す。５Ｇアクセスノード２０６は、アクセスノードコントローラ（ＡＮＣ）２０２を含み得る。ＡＮＣは、分散型ＲＡＮ２００の中央ユニット（ＣＵ）であり得る。次世代コアネットワーク（ＮＧ−ＣＮ）２０４へのバックホールインターフェースは、ＡＮＣにおいて終端し得る。ネイバリング次世代アクセスノード（ＮＧ−ＡＮ）へのバックホールインターフェースは、ＡＮＣにおいて終端し得る。ＡＮＣは、（ＢＳ、ＮＲ  ＢＳ、ノードＢ、５Ｇ  ＮＢ、ＡＰ、または何らかの他の用語で呼ばれることもある）１つまたは複数のＴＲＰ２０８を含み得る。上記で説明されたように、ＴＲＰは、「セル」と互換的に使用され得る。
【００４１】
[0055]ＴＲＰ２０８はＤＵであり得る。ＴＲＰは、１つのＡＮＣ（ＡＮＣ２０２）または（示されていない）２つ以上のＡＮＣに接続され得る。たとえば、ＲＡＮ共有、サービスとしての無線（ＲａａＳ：radio as a service）、およびサービス固有ＡＮＤ配置の場合、ＴＲＰは２つ以上のＡＮＣに接続され得る。ＴＲＰは１つまたは複数のアンテナポートを含み得る。ＴＲＰは、ＵＥにトラフィックを、個々にサービスする（たとえば、動的選択）か、または一緒にサービスする（たとえば、ジョイント送信）ように構成され得る。
【００４２】
[0056]ローカルアーキテクチャ２００は、フロントホール定義を示すために使用され得る。異なる展開タイプにわたってフロントホーリングソリューションをサポートするアーキテクチャが定義され得る。たとえば、アーキテクチャは、送信ネットワーク能力（たとえば、帯域幅、レイテンシ、および／またはジッタ）に基づき得る。
【００４３】
[0057]アーキテクチャは、ＬＴＥと特徴および／または構成要素を共有し得る。態様によれば、次世代ＡＮ（ＮＧ−ＡＮ）２１０は、ＮＲとのデュアル接続性をサポートし得る。ＮＧ−ＡＮは、ＬＴＥおよびＮＲについて共通フロントホールを共有し得る。
【００４４】
[0058]アーキテクチャは、ＴＲＰ２０８間の協働を可能にし得る。たとえば、協働は、ＡＮＣ２０２を介してＴＲＰ内でおよび／またはＴＲＰにわたってプリセットされ得る。態様によれば、ＴＲＰ間インターフェースは、必要とされない／存在しないことがある。
【００４５】
[0059]態様によれば、分割された論理機能の動的構成が、アーキテクチャ２００内に存在し得る。図５を参照しながらより詳細に説明されるように、無線リソース制御（ＲＲＣ）レイヤ、パケットデータコンバージェンスプロトコル（ＰＤＣＰ）レイヤ、無線リンク制御（ＲＬＣ）レイヤ、媒体アクセス制御（ＭＡＣ）レイヤ、および物理（ＰＨＹ）レイヤが、ＤＵまたはＣＵ（たとえば、それぞれＴＲＰまたはＡＮＣ）に適応的に配置され得る。いくつかの態様によれば、ＢＳは、中央ユニット（ＣＵ）（たとえば、ＡＮＣ２０２）および／または１つもしくは複数の分散型ユニット（たとえば、１つまたは複数のＴＲＰ２０８）を含み得る。
【００４６】
[0060]図３は、本開示の態様による、分散型ＲＡＮ３００の例示的な物理アーキテクチャを示す。集中型コアネットワークユニット（Ｃ−ＣＵ）３０２は、コアネットワーク機能をホストし得る。Ｃ−ＣＵは中央に展開され得る。Ｃ−ＣＵ機能性は、ピーク容量を扱おうとして、（たとえば、高度ワイヤレスサービス（ＡＷＳ）に）オフロードされ得る。
【００４７】
[0061]集中型ＲＡＮユニット（Ｃ−ＲＵ）３０４は、１つまたは複数のＡＮＣ機能をホストし得る。随意に、Ｃ−ＲＵは、ローカルにコアネットワーク機能をホストし得る。Ｃ−ＲＵは分散型展開を有し得る。Ｃ−ＲＵはネットワークエッジにより近いことがある。
【００４８】
[0062]ＤＵ３０６は、１つまたは複数のＴＲＰ（エッジノード（ＥＮ）、エッジユニット（ＥＵ）、無線ヘッド（ＲＨ）、スマート無線ヘッド（ＳＲＨ）など）をホストし得る。ＤＵは、無線周波数（ＲＦ）機能性をもつネットワークのエッジに位置し得る。
【００４９】
[0063]図４は、本開示の態様を実装するために使用され得る、図１に示されているＢＳ１１０およびＵＥ１２０の例示的な構成要素を示す。ＢＳは、ＴＲＰを含み得、マスタｅＮＢ（ＭｅＮＢ）（たとえば、マスタＢＳ、１次ＢＳ）と呼ばれることがある。態様によれば、マスタＢＳは、たとえば、６ＧＨｚを下回るより低い周波数において動作し得、２次ＢＳは、より高い周波数、たとえば、６ＧＨｚを上回るｍｍＷａｖｅ周波数において動作し得る。マスタＢＳおよび２次ＢＳは、地理的にコロケートされ得る。
【００５０】
[0064]ＢＳ１１０およびＵＥ１２０の１つまたは複数の構成要素は、本開示の態様を実施するために使用され得る。たとえば、ＵＥ１２０のアンテナ４５２、Ｔｘ／Ｒｘ４５４、プロセッサ４６６、４５８、４６４、および／もしくはコントローラ／プロセッサ４８０ならびに／またはＢＳ１１０のアンテナ４３４、プロセッサ４２０、４３０、４３８、および／もしくはコントローラ／プロセッサ４４０が、本明細書で説明され、図９〜図１０を参照しながら示される動作を実施するために使用され得る。
【００５１】
[0065]図４は、図１中のＢＳのうちの１つであり得るＢＳ１１０、および図１中のＵＥのうちの１つであり得るＵＥ１２０の設計のブロック図を示す。制限付き関連付けシナリオの場合、基地局１１０は図１中のマクロＢＳ１１０ｃであり得、ＵＥ１２０はＵＥ１２０ｙであり得る。基地局１１０はまた、何らかの他のタイプの基地局であり得る。基地局１１０はアンテナ４３４ａ〜４３４ｔを装備し得、ＵＥ１２０はアンテナ４５２ａ〜４５２ｒを装備し得る。
【００５２】
[0066]基地局１１０において、送信プロセッサ４２０は、データソース４１２からデータを受信し、コントローラ／プロセッサ４４０から制御情報を受信し得る。制御情報は、物理ブロードキャストチャネル（ＰＢＣＨ）、物理制御フォーマットインジケータチャネル（ＰＣＦＩＣＨ）、物理ハイブリッドＡＲＱインジケータチャネル（ＰＨＩＣＨ）、物理ダウンリンク制御チャネル（ＰＤＣＣＨ）などのためのものであり得る。データは物理ダウンリンク共有チャネル（ＰＤＳＣＨ）などのためのものであり得る。プロセッサ４２０は、データシンボルおよび制御シンボルを取得するために、それぞれデータおよび制御情報を処理（たとえば、符号化およびシンボルマッピング）し得る。プロセッサ４２０はまた、たとえば、ＰＳＳ、ＳＳＳ、およびセル固有基準信号（ＣＲＳ）のための基準シンボルを生成し得る。送信（ＴＸ）多入力多出力（ＭＩＭＯ）プロセッサ４３０が、適用可能な場合、データシンボル、制御シンボル、および／または基準シンボルに対して空間処理（たとえば、プリコーディング）を実施し得、出力シンボルストリームを変調器（ＭＯＤ）４３２ａ〜４３２ｔに与え得る。各変調器４３２は、出力サンプルストリームを取得するために、（たとえば、ＯＦＤＭなどのための）それぞれの出力シンボルストリームを処理し得る。各変調器４３２は、さらに、ダウンリンク信号を取得するために、出力サンプルストリームを処理（たとえば、アナログへの変換、増幅、フィルタ処理、およびアップコンバート）し得る。変調器４３２ａ〜４３２ｔからのダウンリンク信号は、それぞれアンテナ４３４ａ〜４３４ｔを介して送信され得る。
【００５３】
[0067]ＵＥ１２０において、アンテナ４５２ａ〜４５２ｒは、基地局１１０からダウンリンク信号を受信し得、受信信号をそれぞれ復調器（ＤＥＭＯＤ）４５４ａ〜４５４ｒに与え得る。各復調器４５４は、入力サンプルを取得するために、それぞれの受信信号を調整（たとえば、フィルタ処理、増幅、ダウンコンバート、およびデジタル化）し得る。各復調器４５４は、さらに、受信シンボルを取得するために、（たとえば、ＯＦＤＭなどのための）入力サンプルを処理し得る。ＭＩＭＯ検出器４５６は、すべての復調器４５４ａ〜４５４ｒから受信シンボルを取得し、適用可能な場合は受信シンボルに対してＭＩＭＯ検出を実施し、検出されたシンボルを与え得る。受信プロセッサ４５８は、検出シンボルを処理（たとえば、復調、デインターリーブ、および復号）し、ＵＥ１２０の復号されたデータをデータシンク４６０に与え、復号された制御情報をコントローラ／プロセッサ４８０に与え得る。
【００５４】
[0068]アップリンク上では、ＵＥ１２０において、送信プロセッサ４６４が、データソース４６２から（たとえば、物理アップリンク共有チャネル（ＰＵＳＣＨ）のための）データを受信し、処理し得、コントローラ／プロセッサ４８０から（たとえば、物理アップリンク制御チャネル（ＰＵＣＣＨ）のための制御情報を受信し、処理し得る。送信プロセッサ４６４はまた、基準信号のための基準シンボルを生成し得る。送信プロセッサ４６４からのシンボルは、適用可能な場合はＴＸ  ＭＩＭＯプロセッサ４６６によってプリコーディングされ、さらに（たとえば、ＳＣ−ＦＤＭなどのために）復調器４５４ａ〜４５４ｒによって処理され、基地局１１０に送信され得る。ＢＳ１１０において、ＵＥ１２０からのアップリンク信号は、アンテナ４３４によって受信され、変調器４３２によって処理され、適用可能な場合はＭＩＭＯ検出器４３６によって検出され、さらに受信プロセッサ４３８によって処理されて、ＵＥ１２０によって送られた復号されたデータおよび制御情報が取得され得る。受信プロセッサ４３８は、復号されたデータをデータシンク４３９に与え、復号された制御情報をコントローラ／プロセッサ４４０に与え得る。
【００５５】
[0069]コントローラ／プロセッサ４４０および４８０は、それぞれ基地局１１０およびＵＥ１２０における動作を指示し得る。基地局１１０におけるプロセッサ４４０および／または他のプロセッサとモジュールとは、たとえば、図９に示されている機能ブロック、および／または本明細書で説明される技法のための他のプロセスの実行を実施または指示し得る。メモリ４４２および４８２は、それぞれＢＳ１１０およびＵＥ１２０のためのデータおよびプログラムコードを記憶し得る。スケジューラ４４４は、ダウンリンクおよび／またはアップリンク上でのデータ送信のためにＵＥをスケジュールし得る。
【００５６】
[0070]図５は、本開示の態様による、通信プロトコルスタックを実装するための例を示す図５００を示す。示されている通信プロトコルスタックは、５Ｇシステムにおいてにおいて動作するデバイスによって実装され得る。図５００は、無線リソース制御（ＲＲＣ）レイヤ５１０、パケットデータコンバージェンスプロトコル（ＰＤＣＰ）レイヤ５１５、無線リンク制御（ＲＬＣ）レイヤ５２０、媒体アクセス制御（ＭＡＣ）レイヤ５２５、および物理（ＰＨＹ）レイヤ５３０を含む通信プロトコルスタックを示す。様々な例では、プロトコルスタックのレイヤは、ソフトウェアの別個のモジュール、プロセッサもしくはＡＳＩＣの部分、通信リンクによって接続されたコロケートされていないデバイスの部分、またはそれらの様々な組合せとして実装され得る。コロケートされた実装形態およびコロケートされていない実装形態は、たとえば、ネットワークアクセスデバイス（たとえば、ＡＮ、ＣＵ、および／またはＤＵ）またはＵＥのためのプロトコルスタックにおいて使用され得る。
【００５７】
[0071]第１のオプション５０５−ａは、プロトコルスタックの実装が、集中型ネットワークアクセスデバイス（たとえば、図２中のＡＮＣ２０２）と分散型ネットワークアクセスデバイス（たとえば、図２中のＤＵ２０８）との間で分割された、プロトコルスタックの分割された実装形態を示す。第１のオプション５０５−ａでは、ＲＲＣレイヤ５１０およびＰＤＣＰレイヤ５１５は、中央ユニットによって実装され得、ＲＬＣレイヤ５２０、ＭＡＣレイヤ５２５、およびＰＨＹレイヤ５３０は、ＤＵによって実装され得る。様々な例では、ＣＵおよびＤＵは、コロケートされることもコロケートされないこともある。第１のオプション５０５−ａは、マクロセル、マイクロセル、またはピコセル展開において有用であり得る。
【００５８】
[0072]第２のオプション５０５−ｂは、プロトコルスタックが、単一のネットワークアクセスデバイス（たとえば、アクセスノード（ＡＮ）、新無線基地局（ＮＲ  ＢＳ）、新無線ノードＢ（ＮＲ  ＮＢ）、ネットワークノード（ＮＮ）など）において実装された、プロトコルスタックの統合された実装形態を示す。第２のオプションでは、ＲＲＣレイヤ５１０、ＰＤＣＰレイヤ５１５、ＲＬＣレイヤ５２０、ＭＡＣレイヤ５２５、およびＰＨＹレイヤ５３０は、各々ＡＮによって実装され得る。第２のオプション５０５−ｂは、フェムトセル展開において有用であり得る。
【００５９】
[0073]ネットワークアクセスデバイスが、プロトコルスタックの一部を実装するのか全部を実装するのかにかかわらず、ＵＥは、プロトコルスタック全体（たとえば、ＲＲＣレイヤ５１０、ＰＤＣＰレイヤ５１５、ＲＬＣレイヤ５２０、ＭＡＣレイヤ５２５、およびＰＨＹレイヤ５３０）を実装し得る。
【００６０】
[0074]図６は、ＤＬセントリックサブフレームの一例を示す図６００である。ＤＬセントリックサブフレームは制御部分６０２を含み得る。制御部分６０２は、ＤＬセントリックサブフレームの初期または開始部分中に存在し得る。制御部分６０２は、ＤＬセントリックサブフレームの様々な部分に対応する様々なスケジューリング情報および／または制御情報を含み得る。いくつかの構成では、制御部分６０２は、図６に示されているように、物理ＤＬ制御チャネル（ＰＤＣＣＨ）であり得る。ＤＬセントリックサブフレームは、ＤＬデータ部分６０４をも含み得る。ＤＬデータ部分６０４は、時々、ＤＬセントリックサブフレームのペイロードと呼ばれることがある。ＤＬデータ部分６０４は、スケジューリングエンティティ（たとえば、ＵＥまたはＢＳ）から下位エンティティ（たとえば、ＵＥ）にＤＬデータを通信するために利用される通信リソースを含み得る。いくつかの構成では、ＤＬデータ部分６０４は、物理ＤＬ共有チャネル（ＰＤＳＣＨ）であり得る。
【００６１】
[0075]ＤＬセントリックサブフレームは、共通ＵＬ部分６０６をも含み得る。共通ＵＬ部分６０６は、時々、ＵＬバースト、共通ＵＬバースト、および／または様々な他の好適な用語で呼ばれることがある。共通ＵＬ部分６０６は、ＤＬセントリックサブフレームの様々な他の部分に対応するフィードバック情報を含み得る。たとえば、共通ＵＬ部分６０６は、制御部分６０２に対応するフィードバック情報を含み得る。フィードバック情報の非限定的な例は、ＡＣＫ信号、ＮＡＣＫ信号、ＨＡＲＱインジケータ、および／または様々な他の好適なタイプの情報を含み得る。共通ＵＬ部分６０６は、ランダムアクセスチャネル（ＲＡＣＨ）プロシージャに関係する情報、スケジューリング要求（ＳＲ）、および様々な他の好適なタイプの情報など、追加または代替の情報を含み得る。図６に示されているように、ＤＬデータ部分６０４の終端は、共通ＵＬ部分６０６の始端から時間的に分離され得る。この時間分離は、時々、ギャップ、ガード期間、ガードインターバル、および／または様々な他の好適な用語で呼ばれることがある。この分離は、ＤＬ通信（たとえば、下位エンティティ（たとえば、ＵＥ）による受信動作）からＵＬ通信（たとえば、下位エンティティ（たとえば、ＵＥ）による送信）へのスイッチオーバーのための時間を与える。当業者は、上記が、ＤＬセントリックサブフレームの一例にすぎず、同様の特徴を有する代替構造が、本明細書で説明される態様から必ずしも逸脱することなしに存在し得ることを理解するであろう。
【００６２】
[0076]図７は、ＵＬセントリックサブフレームの一例を示す図７００である。ＵＬセントリックサブフレームは制御部分７０２を含み得る。制御部分７０２は、ＵＬセントリックサブフレームの初期または開始部分中に存在し得る。図７中の制御部分７０２は、図６を参照しながら上記で説明された制御部分と同様であり得る。ＵＬセントリックサブフレームは、ＵＬデータ部分７０４をも含み得る。ＵＬデータ部分７０４は、時々、ＵＬセントリックサブフレームのペイロードと呼ばれることがある。ＵＬ部分は、下位エンティティ（たとえば、ＵＥ）からスケジューリングエンティティ（たとえば、ＵＥまたはＢＳ）にＵＬデータを通信するために利用される通信リソースを指し得る。いくつかの構成では、制御部分７０２は、物理ＵＬ制御チャネル（ＰＵＣＣＨ）であり得る。
【００６３】
[0077]図７に示されているように、制御部分７０２の終端は、ＵＬデータ部分７０４の始端から時間的に分離され得る。この時間分離は、時々、ギャップ、ガード期間、ガードインターバル、および／または様々な他の好適な用語で呼ばれることがある。この分離は、ＤＬ通信（たとえば、スケジューリングエンティティによる受信動作）からＵＬ通信（たとえば、スケジューリングエンティティによる送信）へのスイッチオーバーのための時間を与える。ＵＬセントリックサブフレームは、共通ＵＬ部分７０６をも含み得る。図７中の共通ＵＬ部分７０６は、図７を参照しながら上記で説明された共通ＵＬ部分７０６と同様であり得る。共通ＵＬ部分７０６は、追加または代替の、チャネル品質インジケータ（ＣＱＩ）に関係する情報、サウンディング基準信号（ＳＲＳ）、および様々な他の好適なタイプの情報を含み得る。当業者は、上記が、ＵＬセントリックサブフレームの一例にすぎず、同様の特徴を有する代替構造が、本明細書で説明される態様から必ずしも逸脱することなしに存在し得ることを理解するであろう。
【００６４】
[0078]いくつかの状況では、２つまたはそれ以上の下位エンティティ（たとえば、ＵＥ）が、サイドリンク信号を使用して互いと通信し得る。そのようなサイドリンク通信の現実世界の適用例は、公共安全、近接サービス、ＵＥネットワーク間中継、車両間（Ｖ２Ｖ）通信、あらゆるモノのインターネット（ＩｏＥ）通信、ＩｏＴ通信、ミッションクリティカルなメッシュ、および／または様々な他の好適な適用例を含み得る。概して、サイドリンク信号は、スケジューリングエンティティ（たとえば、ＵＥまたはＢＳ）が、スケジューリングおよび／または制御目的のために利用され得るが、スケジューリングエンティティを通してその通信を中継することなしに、ある下位エンティティ（たとえば、ＵＥ１）から別の下位エンティティ（たとえば、ＵＥ２）に通信される信号を指し得る。いくつかの例では、サイドリンク信号は、（一般的に、無認可スペクトルを使用するワイヤレスローカルエリアネットワークとは異なり）認可スペクトルを使用して通信され得る。
【００６５】
[0079]ＵＥは、リソースの専用セットを使用してパイロットを送信することに関連する構成（たとえば、無線リソース制御（ＲＲＣ）専用状態など）、またはリソースの共通セットを使用してパイロットを送信することに関連する構成（たとえば、ＲＲＣ共通状態など）を含む、様々な無線リソース構成において動作し得る。ＲＲＣ専用状態において動作するとき、ＵＥは、ネットワークにパイロット信号を送信するためのリソースの専用セットを選択し得る。ＲＲＣ共通状態において動作するとき、ＵＥは、ネットワークにパイロット信号を送信するためのリソースの共通セットを選択し得る。いずれの場合も、ＵＥによって送信されたパイロット信号は、ＡＮ、もしくはＤＵ、またはそれらの部分など、１つまたは複数のネットワークアクセスデバイスによって受信され得る。各受信ネットワークアクセスデバイスは、リソースの共通セット上で送信されたパイロット信号を受信および測定し、また、ネットワークアクセスデバイスが、それについて、ＵＥのためのネットワークアクセスデバイスの監視セットのメンバーであるＵＥに割り振られたリソースの専用セット上で送信されたパイロット信号を受信および測定するように構成され得る。受信ネットワークアクセスデバイスのうちの１つもしくは複数、または受信ネットワークアクセスデバイスが、パイロット信号の測定値をそれに送信するＣＵは、ＵＥのためのサービングセルを識別するために、またはＵＥのうちの１つまたは複数のためのサービングセルの変更を開始するために、測定値を使用し得る。
ＣＳＩ−ＲＳのための例示的なビームプロシージャ情報（ＢＰＩ）
[0080]上述のように、ミリメートル波（ｍｍＷ）セルラーシステムでは、高い経路損失を克服するために、ビームフォーミングが必要とされ得る。基地局（ＢＳ）とユーザ機器（ＵＥ）の両方は、通信リンクを可能にするために、好適なビームを発見および維持するのを助け得る。ＢＳとＵＥとの間のリンクは、ＢＳビームおよびＵＥビームを伴う。ＢＳビームおよびＵＥビームは、ビームペアリンク（ＢＰＬ）と呼ばれることがあるものを形成する。ダウンリンク送信の場合、ＢＰＬは、ＢＳ送信ビームおよびＵＥ受信ビームを含む。アップリンク送信の場合、ＢＰＬは、ＵＥ送信ビームおよびＢＳ受信ビームを含む、
[0081]ビーム管理の一部として、ＢＳおよびＵＥによって使用されるビームは、たとえば、ＵＥまたは他の物体の移動による変化するチャネルコンディションを考慮するのを助けるために、随時改良され得る。
【００６６】
[0082]図８は、Ｐ２およびＰ３と呼ばれる２つのそのようなビーム改良プロシージャを図式的に示す。図示のように、Ｐ２は、概して、基地局によって使用される送信ビームを改良するためのプロシージャを指し、Ｐ３は、概して、ＵＥによって使用される受信ビームを改良するためのプロシージャを指す。
【００６７】
[0083]図８に示されているように、プロシージャＰ２の場合、ＢＳは、異なる送信ビームを使用して送信する。いくつかの場合には、異なる送信ビームは、古い／現在のビーム（図８中のセンタービーム）に指向的に近く（約数度内に）なるように選択され得る。Ｐ２プロシージャでは、ＵＥは、それの受信ビームを一定に保ち、各透過ビームについて、受信電力（ＲＳＲＰ）または別のチャネルメトリックそのようなＣＱＩを測定する。ＵＥは、次いで、最良の性能をもつＢＳビームを識別し、ＢＳにフィードバックとしてそれを報告する。
【００６８】
[0084]図８に示されているように、プロシージャＰ３の場合、ＢＳは、同じビーム（たとえば、現在の確立されたリンクのビーム）を用いて送信し、ＵＥは、方向を指し示す異なる受信ビームを評価する。ＵＥは、古い／現在のビーム（図８中のセンタービーム）に指向的に近い受信ビームを評価することを選び得る。ＵＥは、各ビームの性能を測定し、最良の受信ビームを選ぶ。いくつかの場合には、ＵＥは、ＢＳに新しい受信ビーム（またはビームペア）の性能を報告し得る。
【００６９】
[0085]５Ｇ−ＮＲでは、Ｐ２／Ｐ３プロシージャは、チャネル状態情報（ＣＳＩ）基準信号（ＣＳＩ−ＲＳ）送信バーストを使用して行われる。各ＣＳＩ−ＲＳバーストは、いくつかの（時間／周波数）リソースからなる。各リソースは、一般的に、時間領域において１つのシンボル期間を占有し、周波数領域においてある帯域幅をスパンする。各リソースでは、ＢＳは、１つまたは複数のビームを使用して送信することになる。ＣＳＩ−ＲＳセットアップ中、ＵＥは、一般的に、それがＣＳＩ−ＲＳ送信を監視および処理することを可能にする情報を受信する。この情報は、一般的に、ＣＳＩ−ＲＳバーストに関与するリソースの数、リソース中にＢＳによって同時に送信されるビームの数、および異なるビームのための波形が、リソース内で周波数多重化される様式を含む。
【００７０】
[0086]図９Ａおよび図９Ｂは、送信および受信ビームが、Ｐ２およびＰ３プロシージャ中にＣＳＩ−ＲＳ送信のためにどのように変動させられ得るかの例を示す。これらの比較的単純な例では、ＢＳは、リソース（これらの例ではシンボル）ごとに１つのビームを送信する。図示のように、各プロシージャにおいて評価されるべきであるビームの数は、ＣＳＩ−ＲＳバーストのシンボル／リソースの数に等しいことがある。図示の例では、ＣＳＩ−ＲＳシンボルは隣接する。
【００７１】
[0087]図９Ａは、Ｐ２プロシージャ中に、ＢＳが各シンボル送信ビームをどのように変更し、ＵＥがそれの受信ビームを同じにどのように保つかを示す。図９Ｂは、Ｐ３プロシージャ中に、ＢＳが、どのように、送信ビームを同じに保ち、ＵＥが異なるシンボル期間において異なる受信ビームを評価することを可能にするかを示す。
【００７２】
[0088]ＣＳＩ−ＲＳバーストは、通常、非周期的であり、ＰＤＣＣＨ（物理ダウンリンク制御チャネル）を通して伝達されたＤＣＩ（ダウンリンク制御情報）によってトリガされる。以下で説明されるように、いくつかの場合には、いわゆるビームフォーミングプロシージャ情報（ＢＰＩ）が、そのようなＤＣＩを介して伝達される必要があり得る。ＢＰＩは、基地局が、ＣＳＩ−ＲＳ送信のために、同じ送信ビームを使用するのか異なる送信ビームのセットを使用するのかを示し得る。この情報は、基地局およびＵＥが、ビーム改良プロシージャを最適化するのを助け得る。
【００７３】
[0089]いくつかのビームペアリンク（ＢＰＬ）が、ＢＳとＵＥとの間で確立された場合、ＢＳは、ビーム改良が、どのＢＰＬについて実施されることになるかをＵＥに通知する必要があり得る。この情報は、ＱＣＬ（擬似コロケーション）情報と呼ばれることがある。名前は、スケジュールされたＣＳＩ−ＲＳバースト中に、ＢＳが、指定されたＢＰＬのために使用されるＢＳビームと同様である（たとえば、それらが、比較的同じチャネルコンディションを経験することを合理的に予想されるという点で同様である）（擬似コロケートされた）ビームを使用することになることをＢＳがＵＥに指摘するという事実を指す。ＱＣＬ情報はＤＣＩの一部として伝達され得る。
【００７４】
[0090]本開示の態様によって対処される１つの課題は、ＱＣＬ情報のほかに、それ以上ビームフォーミングプロシージャに関する情報が、一般的に、ＵＥに伝達されないという事実である。その結果、ＵＥは、Ｐ２プロシージャが実施されているのか、Ｐ３プロシージャが実施されているのかさえもわからないことがあり、これは、ＵＥが、どの受信ビームを使用すべきかを決定することを困難にし得る。たとえば、ＵＥは、関与する現在のＢＰＬがわかり得、十分な受信ビーム（たとえば、図９Ａおよび図９Ｂ中のビーム
【００７５】
【数１】
2020519133.tif 000003
【００７６】
）を準備することができるが、ＵＥは、依然として、それが、バースト全体中にこのビームを一定に保つべきであるかどうか（Ｐ２プロシージャの場合、それはそうすべきである）、またはそれが、異なるシンボルにおいて代替の受信ビームを試してみるべきであるかどうか（Ｐ３プロシージャの場合、それはそうすべきである）をわかる必要があり得る。
【００７７】
[0091]本開示の態様は、しかしながら、たとえば、ＢＳが、すべてのシンボルにおいて同じビームを使用しているのか異なるビームを使用しているのかをＵＥにわからせることよって、ＵＥが、ＢＳの期待を満たすのを助け得るビームフォーミングプロシージャ情報（ＢＰＩ）を与える。
【００７８】
[0092]このようにして、本開示の態様は、（たとえば、ＣＳＩ−ＲＳバーストの）どのＣＳＩ−ＲＳリソースが、同じＢＳ送信ビームを使用して送信されるかを示すためにＢＰＩを伝達するようにＢＳを構成することによって、上記で説明されたあいまいさを解決するのを助け得る。
【００７９】
[0093]図１０は、本開示のいくつかの態様による、ビーム改良を実施するためにユーザ機器（ＵＥ）によって実施され得る例示的な動作１０００を示す。
【００８０】
[0094]動作１０００は、１００２において、ＲＳを送信するためのＲＳリソースのセットを伴うビーム改良プロシージャに関する情報を取得することによって開始し、情報は、どのＲＳリソースが、同じ送信ビームを使用して基地局によって送信されるべきであるかを示す。１００４において、ＵＥは、情報に基づいて、どの受信ビームまたは受信ビームのセットを、基地局によって送信されたＲＳリソースの受信のために使用すべきかを決定する。１００６において、ＵＥは、決定に従ってＲＳリソースを受信する。動作１０００は、決定に従って受信されたＲＳリソースに基づいて、ビームペアリンク（ＢＰＬ）のＵＥ受信ビームを更新することをも含み得る。
【００８１】
[0095]図１１は、本開示のいくつかの態様による、ビーム改良を実施するようにＵＥを構成するために基地局によって実施され得る例示的な動作１１００を示す。
【００８２】
[0096]動作１１００は、１１０２において、どの送信ビームを、ビーム改良プロシージャの一部としてユーザ機器（ＵＥ）に基準信号（ＲＳ）リソースを送信するために使用すべきかを決定することよって開始する。１１０４において、ＢＳは、どのＲＳリソースが、同じ送信ビームを使用して基地局によって送信されるべきであるかを示す情報をＵＥに与える。１１０６において、ＵＥは、決定に従ってＲＳリソースを送信する。
【００８３】
[0097]概して、本開示の態様は、ビーム管理のためのＣＳＩ−ＲＳ送信の場合、（もしあれば）どのＣＳＩ−ＲＳリソースが、同じビームを使用して送信されるかを示すために、ＢＳがＵＥにＢＰＩを伝達することを提供する。（同じビームを使用して送信される）それらのリソースについて、ＵＥは、（Ｐ３プロシージャと同様に）受信中に異なるＵＥビームを試してみ得る。一方、（もしあれば）異なるＢＳビームを用いた任意の２つのリソースが、（Ｐ２プロシージャと同様に）受信中に同じＵＥビームを使用してＵＥによって評価されるべきである。
【００８４】
[0098]いずれの場合も、ＵＥは、たとえば、最良の受信ビームを使用してＲＳＲＰまたはＣＱＩに関してリソースの性能を測定し得る。ＵＥは、Ｎ個の最良の（たいていの場合、Ｎ＝１）リソースの性能を報告し、ＢＳにリソースを示し得る。
【００８５】
[0099]いくつかの場合には、ＢＰＩは、ただ１つのビットを使用して伝達され得る。たとえば、図９Ａまたは図９Ｂに示されている比較的単純なＰ２／Ｐ３プロシージャのいずれかを示すために、１ビットが使用され得る。（図１２〜図１４を参照しながら以下で説明される）より精巧なシーケンスが使用されるべきである場合、ＢＰＩは、より多くのビットを使用して伝達され得る。いずれの場合も、この情報は、ＤＣＩとして伝達され得るか、またはＵＥのリソース／測定／報告（ＣＳＩ−ＲＳ）構成セットアップの一部として伝達され得る。
【００８６】
[0100]図１２〜図１４は、本開示の態様による、対応するビームプロシージャ情報とともに、ＢＳおよびＵＥにおいて使用され得る異なるタイプのビームシーケンスの例を示す。
【００８７】
[0101]図１２は、Ｐ３プロシージャが、Ｐ２プロシージャ内に事実上ネスティングされた例を示す。この例では、ビームプロシージャ情報（ＢＰＩ）は、リソースの第１のセット（たとえば、最初の３つのシンボル）が、同じビーム
【００８８】
【数２】
2020519133.tif 000004
【００８９】
を用いてＢＳによって送信されることをＵＥに示し得る。この指示が与えられれば、ＵＥは、リソースの第１のセット（最初の３つのシンボル）中に異なる受信ビームを評価することができる。
【００９０】
[0102]ＢＰＩはまた、リソースの第２のセット（たとえば、次の３つのシンボル）も、同じＢＳビーム
【００９１】
【数３】
2020519133.tif 000005
【００９２】
を用いて送信されることを示し得る。これは、ＵＥが、最初に、異なる送信ビーム
【００９３】
【数４】
2020519133.tif 000006
【００９４】
および
【００９５】
【数５】
2020519133.tif 000007
【００９６】
について個々に最良のＵＥビームを発見し、次いで、性能を比較することを可能にし、これは、効率的なビームペアリンク（ＢＰＬ選択）につながり得る。最終的に、最良のＢＳビームは、シンボルの各セットについて決定され、それの性能メトリックとともに報告され得る。
【００９７】
[0103]図１２の例は、ＵＥが、シンボルの各セットについて同じ受信ビームを評価することを示すが、いくつかの場合には、ＵＥは、第１のセットとは異なるシンボルの第２のセットのための受信ビームのセット（たとえば、シンボルの第１のセットまたはまったく異なるセット中に評価される受信されたビームのサブセットまたはスーパーセット）を選ぶかまたは決定し得る。
【００９８】
[0104]図１３は、ＢＳが、ＣＳＩ−ＲＳリソースごとに異なるビーム（たとえば、３つのビーム）を送信する別の例を示す。この例では、ビームの波形は周波数多重化される。手続き的に、あらゆるシンボル中に、（異なる送信ビームの）Ｐ２掃引が、「周波数領域」において行われるので、これは、Ｐ３プロシージャ内にネスティングされたＰ２プロシージャと事実上見なされ得る。時間にわたって、Ｐ３プロシージャは実施され、異なる受信ビームが３つのシンボルにわたって評価される。
【００９９】
[0105]この例では、ＢＰＩは、すべてのリソースが同じＢＳビームを用いて送信され、したがって、ＵＥが、各リソースについて異なる受信ビームを評価することができ、そうすべきであることをＵＥに示し得る。この場合、ＢＰＩは、図９Ｂに示されている場合のためのＢＰＩと同じであることになる。ＢＳビームの波形が周波数多重化されるので、ＵＥは、別々に、各ＢＳビームの性能を測定することができる。ＣＳＩ−ＲＳフレームワーク内での測定および報告プロシージャが容易なように、各リソースは、３つのリソースに事実上分割され得、ここで、各新しいリソースは、単一のＢＳビームの波形を含んでいる。
【０１００】
[0106]図１４は、ＢＳがリソースごとに１つのビームを送信するが、波形が時間領域において周期的であり、それにより、３つの期間が１つのシンボルに収まる（したがって、各期間は、サブシンボルと呼ばれることがある）別の例を示す。図示のように、この手法は、ＵＥが、３つの異なるビーム（サブシンボルごとに１つ）を評価することを可能にする。したがって、手続き的に、この手法は、Ｐ２掃引内でＰ３掃引を実施するものと見なされ得る。
【０１０１】
[0107]図１４に示されている波形の周期性は、（たとえば、コム構造を使用して）ｎ番目のサブキャリアごとのみを占有することによって達成され得、ここで、この例では、ｎ＝３である。ＣＳＩ−ＲＳセットアップ中、ＵＥは、各リソースのサブキャリアが、どのように占有されるか（たとえば、ＲＳが、各シンボル／サブシンボル中でどのように繰り返されるかの周期性）を通知され得る。そのような場合、この情報は、ＢＰＩ中で伝達される必要がない。この情報が与えられれば、ＵＥは、それが、リソース（シンボル）ごとに異なるＵＥビームを評価することができることをわかり得る。
【０１０２】
[0108]図１４に示されている例では、ＢＰＩは、各リソースが異なるビームを有することをＵＥに示し得る。これは、ＵＥに対して、それが、各リソースについて同じＲＸビーム
【０１０３】
【数６】
2020519133.tif 000008
【０１０４】
を使用する必要があり得ることを意味する。また、この例では、ＵＥは、可能な最も良好なＢＳビームと、（可能な最も良好な受信ビームと組み合わせられたときの）それの性能とを報告し得る。
【０１０５】
[0109]いくつかの場合には、本明細書で説明される技法のいずれかのために（周波数、シンボル、またはサブシンボルにわたって）使用される（１つまたは複数の）送信ビームパターンに関する情報が、テーブルへのインデックスとして与えられ得る。テーブルは、ＲＳリソースを送信するための送信ビームパターンの異なる組合せをリストし得、インデックスを与えることは、（たとえば、ほんのいくつかのビットを使用して）テーブルから特定の組合せをシグナリングするための効率的な機構であり得る。
【０１０６】
[0110]本明細書で説明されるように、ＢＰＩを与えることによって、ＵＥは、ビーム改良プロシージャ中に評価すべき受信ビームをインテリジェントに選択することが可能であり得る。
【０１０７】
[0111]本明細書で開示される方法は、説明される方法を達成するための１つまたは複数のステップまたはアクションを備える。本方法のステップおよび／またはアクションは、特許請求の範囲の範囲から逸脱することなく、互いに交換され得る。言い換えれば、ステップまたはアクションの特定の順序が指定されていない限り、特定のステップおよび／またはアクションの順序および／または使用は、特許請求の範囲の範囲から逸脱することなく改変され得る。
【０１０８】
[0112]明細書で使用される、項目のリスト「のうちの少なくとも１つ」を指す句は、単一のメンバーを含む、それらの項目の任意の組合せを指す。一例として、「ａ、ｂ、またはｃのうちの少なくとも１つ」は、ａ、ｂ、ｃ、ａ−ｂ、ａ−ｃ、ｂ−ｃ、およびａ−ｂ−ｃ、ならびに複数の同じ要素を用いた任意の組合せ（たとえば、ａ−ａ、ａ−ａ−ａ、ａ−ａ−ｂ、ａ−ａ−ｃ、ａ−ｂ−ｂ、ａ−ｃ−ｃ、ｂ−ｂ、ｂ−ｂ−ｂ、ｂ−ｂ−ｃ、ｃ−ｃ、およびｃ−ｃ−ｃ、またはａ、ｂ、およびｃの任意の他の順序）を包含するものとする。
【０１０９】
[0113]本明細書で使用される「決定すること」という用語は、多種多様なアクションを包含する。たとえば、「決定すること」は、計算すること、算出すること、処理すること、導出すること、調査すること、探索すること（たとえば、テーブル、データベース、または別のデータ構造の中で探索すること）、確認することなどを含み得る。また、「決定すること」は、受信すること（たとえば、情報を受信すること）、アクセスすること（たとえば、メモリ中のデータにアクセスすること）などを含み得る。さらに、「決定すること」は、解決すること、選択すること、選ぶこと、確立することなどを含み得る。
【０１１０】
[0114]以上の説明は、当業者が本明細書で説明される様々な態様を実施できるようにするために提供されたものである。これらの態様に対する様々な改変は当業者には容易に明らかであり、本明細書で定義される一般的原理は他の態様に適用され得る。したがって、特許請求の範囲は、本明細書で示される態様に限定されるものではなく、特許請求の範囲の言い回しに矛盾しない全範囲を与えられるべきであり、ここにおいて、単数形の要素への言及は、そのように明記されていない限り、「唯一無二の」を意味するものではなく、「１つまたは複数の」を意味するものである。別段に明記されていない限り、「いくつかの」という用語は１つまたは複数を指す。当業者に知られている、または後に知られることになる、本開示全体にわたって説明される様々な態様の要素のすべての構造的および機能的等価物は、参照により本明細書に明確に組み込まれ、特許請求の範囲に包含されるものである。その上、本明細書で開示されるいかなることも、そのような開示が特許請求の範囲に明示的に記載されているか否かにかかわらず、公に供するものではない。いかなるクレーム要素も、その要素が「ための手段」という句を使用して明確に具陳されていない限り、または方法クレームの場合には、その要素が「ためのステップ」という句を使用して具陳されていない限り、米国特許法第１１２条第６項の規定の下で解釈されるべきではない。
【０１１１】
[0115]上記で説明された方法の様々な動作は、対応する機能を実施することが可能な任意の好適な手段によって実施され得る。それらの手段は、限定はしないが、回路、特定用途向け集積回路（ＡＳＩＣ）、またはプロセッサを含む、様々な（１つまたは複数の）ハードウェアおよび／またはソフトウェア構成要素および／またはモジュールを含み得る。概して、図に示されている動作がある場合、それらの動作は、同様の番号をもつ対応するカウンターパートのミーンズプラスファンクション構成要素を有し得る。
【０１１２】
[0116]本開示に関連して説明される様々な例示的な論理ブロック、モジュールおよび回路は、汎用プロセッサ、デジタル信号プロセッサ（ＤＳＰ）、特定用途向け集積回路（ＡＳＩＣ）、フィールドプログラマブルゲートアレイ（ＦＰＧＡ）もしくは他のプログラマブル論理デバイス（ＰＬＤ）、個別ゲートもしくはトランジスタ論理、個別ハードウェア構成要素、または本明細書で説明される機能を実施するように設計されたそれらの任意の組合せを用いて実装または実施され得る。汎用プロセッサはマイクロプロセッサであり得るが、代替として、プロセッサは、任意の市販のプロセッサ、コントローラ、マイクロコントローラ、または状態機械であり得る。プロセッサはまた、コンピューティングデバイスの組合せ、たとえば、ＤＳＰとマイクロプロセッサの組合せ、複数のマイクロプロセッサ、ＤＳＰコアと併用される１つもしくは複数のマイクロプロセッサ、または任意の他のそのような構成として実装され得る。
【０１１３】
[0117]ハードウェアで実装される場合、例示的なハードウェア構成は、ワイヤレスノード中に処理システムを備え得る。処理システムは、バスアーキテクチャを用いて実装され得る。バスは、処理システムの特定の適用例および全体的な設計制約に応じて、任意の数の相互接続バスおよびブリッジを含み得る。バスは、プロセッサと、機械可読媒体と、バスインターフェースとを含む様々な回路を互いにリンクし得る。バスインターフェースは、ネットワークアダプタを、特に、バスを介して処理システムに接続するために使用され得る。ネットワークアダプタは、ＰＨＹレイヤの信号処理機能を実装するために使用され得る。ユーザ端末１２０（図１参照）の場合、ユーザインターフェース（たとえば、キーパッド、ディスプレイ、マウス、ジョイスティックなど）もバスに接続され得る。バスはまた、タイミングソース、周辺機器、電圧調整器、電力管理回路などの様々な他の回路をリンクし得るが、それらは当技術分野でよく知られており、したがってこれ以上説明されない。プロセッサは、１つまたは複数の汎用および／または専用プロセッサを用いて実装され得る。例は、マイクロプロセッサ、マイクロコントローラ、ＤＳＰプロセッサ、およびソフトウェアを実行することができる他の回路を含む。当業者は、特定の適用例と、全体的なシステムに課される全体的な設計制約とに応じて、どのようにしたら処理システムについて説明された機能性を最も良く実装し得るかを理解されよう。
【０１１４】
[0118]ソフトウェアで実装される場合、機能は、１つもしくは複数の命令またはコードとしてコンピュータ可読媒体上に記憶されるか、あるいはコンピュータ可読媒体を介して送信され得る。ソフトウェアは、ソフトウェア、ファームウェア、ミドルウェア、マイクロコード、ハードウェア記述言語などの名称にかかわらず、命令、データ、またはそれらの任意の組合せを意味すると広く解釈されたい。コンピュータ可読媒体は、ある場所から別の場所へのコンピュータプログラムの転送を可能にする任意の媒体を含む、コンピュータ記憶媒体とコンピュータ通信媒体の両方を含む。プロセッサは、機械可読記憶媒体に記憶されたソフトウェアモジュールの実行を含む、バスおよび一般的な処理を管理することを担当し得る。コンピュータ可読記憶媒体は、プロセッサがその記憶媒体から情報を読み取ることができ、その記憶媒体に情報を書き込むことができるように、プロセッサに結合され得る。代替として、記憶媒体はプロセッサと一体であり得る。例として、機械可読媒体は、すべてがバスインターフェースを介してプロセッサによってアクセスされ得る、伝送線路、データによって変調された搬送波、および／またはワイヤレスノードとは別個のその上に記憶された命令をもつコンピュータ可読記憶媒体を含み得る。代替的に、または追加として、機械可読媒体またはその任意の部分は、キャッシュおよび／または汎用レジスタファイルがそうであり得るように、プロセッサに統合され得る。機械可読記憶媒体の例は、例として、ＲＡＭ（ランダムアクセスメモリ）、フラッシュメモリ、ＲＯＭ（読取り専用メモリ）、ＰＲＯＭ（プログラマブル読取り専用メモリ）、ＥＰＲＯＭ（消去可能プログラマブル読取り専用メモリ）、ＥＥＰＲＯＭ（登録商標）（電気消去可能プログラマブル読取り専用メモリ）、レジスタ、磁気ディスク、光ディスク、ハードドライブ、もしくは他の好適な記憶媒体、またはそれらの任意の組合せを含み得る。機械可読媒体はコンピュータプログラム製品において実施され得る。
【０１１５】
[0119]ソフトウェアモジュールは、単一の命令または多数の命令を備え得、いくつかの異なるコードセグメント上で、異なるプログラム間で、および複数の記憶媒体にわたって分散され得る。コンピュータ可読媒体は、いくつかのソフトウェアモジュールを備え得る。ソフトウェアモジュールは、プロセッサなどの装置によって実行されたときに、処理システムに様々な機能を実施させる命令を含む。ソフトウェアモジュールは、送信モジュールと受信モジュールとを含み得る。各ソフトウェアモジュールは、単一の記憶デバイス中に常駐するか、または複数の記憶デバイスにわたって分散され得る。例として、トリガイベントが発生したとき、ソフトウェアモジュールがハードドライブからＲＡＭにロードされ得る。ソフトウェアモジュールの実行中、プロセッサは、アクセス速度を高めるために、命令のいくつかをキャッシュにロードし得る。次いで、１つまたは複数のキャッシュラインが、プロセッサによる実行のために汎用レジスタファイルにロードされ得る。以下でソフトウェアモジュールの機能性に言及する場合、そのような機能性は、そのソフトウェアモジュールからの命令を実行したときにプロセッサによって実装されることが理解されよう。
【０１１６】
[0120]また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線（ＩＲ）、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用されるディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）、およびＢｌｕ−ｒａｙ（登録商標）ディスク（disc）を含み、ここで、ディスク（disk）は、通常、データを磁気的に再生し、ディスク（disc）は、データをレーザーで光学的に再生する。したがって、いくつかの態様では、コンピュータ可読媒体は、非一時的コンピュータ可読媒体（たとえば、有形媒体）を備え得る。コンピュータ可読媒体という句は、一時的伝搬信号を指さない。上記の組合せもコンピュータ可読媒体の範囲内に含まれるべきである。
【０１１７】
[0121]したがって、いくつかの態様は、本明細書で提示される動作を実施するためのコンピュータプログラム製品を備え得る。たとえば、そのようなコンピュータプログラム製品は、本明細書で説明される動作を実施するために１つまたは複数のプロセッサによって実行可能である命令を記憶した（および／または符号化した）コンピュータ可読媒体を備え得る。たとえば、本明細書で説明され、図９に示されている動作を実施するための命令。
【０１１８】
[0122]さらに、本明細書で説明される方法および技法を実施するためのモジュールおよび／または他の適切な手段は、適用可能な場合にユーザ端末および／または基地局によってダウンロードされ、および／または他の方法で取得され得ることを諒解されたい。たとえば、そのようなデバイスは、本明細書で説明される方法を実施するための手段の転送を可能にするためにサーバに結合され得る。代替的に、本明細書で説明される様々な方法は、ユーザ端末および／または基地局が記憶手段（たとえば、ＲＡＭ、ＲＯＭ、コンパクトディスク（ＣＤ）またはフロッピーディスクなどの物理記憶媒体など）をデバイスに結合するかまたは与えると様々な方法を得ることができるように、記憶手段によって提供され得る。その上、本明細書で説明される方法および技法をデバイスに提供するための任意の他の好適な技法が利用され得る。
【０１１９】
[0123]特許請求の範囲は、上記で示された厳密な構成および構成要素に限定されないことを理解されたい。上記で説明された方法および装置の構成、動作ならびに詳細において、特許請求の範囲の範囲から逸脱することなく、様々な改変、変更および変形が行われ得る。
【図１】
2020519133.tif 000009
【図２】
2020519133.tif 000010
【図３】
2020519133.tif 000011
【図４】
2020519133.tif 000012
【図５】
2020519133.tif 000013
【図６】
2020519133.tif 000014
【図７】
2020519133.tif 000015
【図８】
2020519133.tif 000016
【図９Ａ】
2020519133.tif 000017
【図９Ｂ】
2020519133.tif 000018
【図１０】
2020519133.tif 000019
【図１１】
2020519133.tif 000020
【図１２】
2020519133.tif 000021
【図１３】
2020519133.tif 000022
【図１４】
2020519133.tif 000023
【国際調査報告】
2020519133.tif 000024
2020519133.tif 000025
2020519133.tif 000026